(57)【要約】  本発明の実施例はアップリンク制御情報の伝送方法、装置及びシステムを提供し、通信分野に関し、前記方法は、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することを含む。本発明の実施例において、端末装置は第１スケジューリング要求又はアップリンク情報を伝送するための専用の物理リソースにおいてアップリンク情報及び第２スケジューリング要求を伝送することができ、ＬＴＥシステムのこれらの専用の物理リソースに対する利用率を向上させる。
2020521363.tif 000002
【特許請求の範囲】
【請求項１】
アップリンク制御情報の伝送方法であって、
目標時間ユニットにおいて第１スケジューリング要求及びアップリンク情報を送信する必要がある場合、端末装置が、前記目標時間ユニット内の物理リソースにおいてアクセスネットワーク機器へ前記アップリンク情報及び第２スケジューリング要求を同時に送信することを含み、
前記端末装置が複数のアップリンク論理チャネルを用いてデータ伝送を行い、前記第１スケジューリング要求が、前記複数のアップリンク論理チャネルのうちの送信待ちデータが存在するアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送方法。
【請求項２】
前記アップリンク論理チャネルのパラメータは、伝送時間間隔、サブキャリア間隔、遅延及び信頼性のうちの少なくとも１つを含むことを特徴とする
請求項１に記載の方法。
【請求項３】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項１に記載の方法。
【請求項４】
前記端末装置が、前記目標時間ユニット内の物理リソースにおいてアクセスネットワーク機器へ前記アップリンク情報及び第２スケジューリング要求を同時に送信することは、
前記端末装置が、前記目標時間ユニット内の第１種類の物理リソースを用いて前記アクセスネットワーク機器へ前記アップリンク情報を送信することを含み、
前記第１種類の物理リソースが、前記第１スケジューリング要求を伝送するためのものであることを特徴とする
請求項１〜３のいずれか１項に記載の方法。
【請求項５】
前記第１種類の物理リソースが複数の第１物理リソースを含み、前記複数の第１物理リソースと前記複数のアップリンク論理チャネルとが対応関係を有し、
前記端末装置が、前記目標時間ユニット内の第１種類の物理リソースを用いて前記アクセスネットワーク機器へ前記アップリンク情報を送信することは、
前記端末装置が、前記目標時間ユニット内の少なくとも１つの第１物理リソースを用いて前記アクセスネットワーク機器へ前記アップリンク情報を送信することを含むことを特徴とする
請求項４に記載の方法。
【請求項６】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項５に記載の方法。
【請求項７】
前記アップリンク論理チャネルに対応するパラメータの優先度が、プロトコルに従って決められたものであることを特徴とする
請求項６に記載の方法。
【請求項８】
前記端末装置が、前記目標時間ユニット内の第１種類の物理リソースを用いて前記アクセスネットワーク機器へ前記アップリンク情報を送信する前に、更に、
前記端末装置が、前記アクセスネットワーク機器から送信された、前記端末装置に前記第１種類の物理リソースを設定するための第１設定情報を受信することを含むことを特徴とする
請求項４〜７のいずれか１項に記載の方法。
【請求項９】
前記端末装置が、前記目標時間ユニット内の物理リソースにおいてアクセスネットワーク機器へ前記アップリンク情報及び第２スケジューリング要求を同時に送信することは、
前記端末装置が、前記目標時間ユニット内の第２種類の物理リソースを用いて前記アクセスネットワーク機器へ前記アップリンク情報及び前記第２スケジューリング要求を送信することを含み、
前記第２種類の物理リソースが前記アップリンク情報を伝送するためのものであることを特徴とする
請求項１〜３のいずれか１項に記載の方法。
【請求項１０】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項９に記載の方法。
【請求項１１】
前記端末装置が前記目標時間ユニット内の第２種類の物理リソースを用いて前記アクセスネットワーク機器へ前記アップリンク情報及び前記第２スケジューリング要求を送信する前に、更に、
前記端末装置が、前記アクセスネットワーク機器から送信された、前記端末装置に前記第２種類の物理リソースを設定するための第２設定情報を受信することを含むことを特徴とする
請求項９に記載の方法。
【請求項１２】
アップリンク制御情報の伝送方法であって、
目標時間ユニットにおいて第１スケジューリング要求及びアップリンク情報を受信する必要がある場合、アクセスネットワーク機器が、端末装置が前記目標時間ユニット内の物理リソースにおいて同時に送信した前記アップリンク情報及び第２スケジューリング要求を受信することを含み、
前記端末装置が複数のアップリンク論理チャネルを用いてデータ伝送を行い、前記第１スケジューリング要求が、前記複数のアップリンク論理チャネルのうちの送信待ちデータが存在する論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送方法。
【請求項１３】
前記アップリンク論理チャネルのパラメータは、伝送時間間隔、サブキャリア間隔、遅延及び信頼性のうちの少なくとも１つを含むことを特徴とする
請求項１２に記載の方法。
【請求項１４】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項１２に記載の方法。
【請求項１５】
前記アクセスネットワーク機器が、端末装置が前記目標時間ユニット内の物理リソースにおいて同時に送信した前記アップリンク情報及び第２スケジューリング要求を受信することは、
前記アクセスネットワーク機器が、前記端末装置が前記目標時間ユニット内の前記第１種類の物理リソースを用いて送信した前記アップリンク情報を受信することを含み、
前記第１種類の物理リソースが、前記第１スケジューリング要求を伝送するためのものであることを特徴とする
請求項１２〜１４のいずれか１項に記載の方法。
【請求項１６】
前記アクセスネットワーク機器が、端末装置が前記目標時間ユニット内の物理リソースにおいて同時に送信した前記アップリンク情報及び第２スケジューリング要求を受信する前に、更に、
前記アクセスネットワーク機器が、前記端末装置に前記第１種類の物理リソースを設定するための第１設定情報を前記端末装置に送信することを含むことを特徴とする
請求項１５に記載の方法。
【請求項１７】
前記第１種類の物理リソースが複数の第１物理リソースを含み、前記複数の第１物理リソースと前記複数のアップリンク論理チャネルとが対応関係を有し、
前記アクセスネットワーク機器が、端末装置が前記目標時間ユニット内の物理リソースにおいて同時に送信した前記アップリンク情報及び第２スケジューリング要求を受信することは、
前記アクセスネットワーク機器が、前記端末装置が前記目標時間ユニット内の少なくとも１つの第１物理リソースを用いて送信した前記アップリンク情報を受信することを含むことを特徴とする
請求項１５に記載の方法。
【請求項１８】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項１７に記載の方法。
【請求項１９】
前記アップリンク論理チャネルに対応するパラメータの優先度が、プロトコルに従って決められたものであることを特徴とする
請求項１８に記載の方法。
【請求項２０】
前記アクセスネットワーク機器が、端末装置が前記目標時間ユニット内の物理リソースにおいて同時に送信した前記アップリンク情報及び第２スケジューリング要求を受信することは、
前記アクセスネットワーク機器が、前記端末装置が前記目標時間ユニット内の前記第２種類の物理リソースを用いて送信した前記アップリンク情報及び前記第２スケジューリング要求を受信することを含み、
前記第２種類の物理リソースが前記アップリンク情報を伝送するためのものであることを特徴とする
請求項１２〜１４のいずれか１項に記載の方法。
【請求項２１】
前記アクセスネットワーク機器が、端末装置が前記目標時間ユニット内の物理リソースにおいて同時に送信した前記アップリンク情報及び第２スケジューリング要求を受信する前に、更に、
前記アクセスネットワーク機器が、前記端末装置に前記第２種類の物理リソースを設定するための第２設定情報を前記端末装置に送信することを含むことを特徴とする
請求項２０に記載の方法。
【請求項２２】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項２０に記載の方法。
【請求項２３】
アップリンク制御情報の伝送装置であって、
目標時間ユニットにおいて第１スケジューリング要求及びアップリンク情報を送信する必要がある場合、前記目標時間ユニット内の物理リソースにおいてアクセスネットワーク機器へ前記アップリンク情報及び第２スケジューリング要求を同時に送信するように構成される送信モジュールを備え、
端末装置が複数のアップリンク論理チャネルを用いてデータ伝送を行い、前記第１スケジューリング要求が、前記複数のアップリンク論理チャネルのうちの送信待ちデータが存在するアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送装置。
【請求項２４】
前記アップリンク論理チャネルのパラメータは、伝送時間間隔、サブキャリア間隔、遅延及び信頼性のうちの少なくとも１つを含むことを特徴とする
請求項２３に記載の装置。
【請求項２５】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項２３に記載の装置。
【請求項２６】
前記送信モジュールは、更に、
前記目標時間ユニット内の第１種類の物理リソースを用いて前記アクセスネットワーク機器へ前記アップリンク情報を送信することに用いられ、
前記第１種類の物理リソースが、前記第１スケジューリング要求を伝送するためのものであることを特徴とする
請求項２３〜２５のいずれか１項に記載の装置。
【請求項２７】
前記第１種類の物理リソースが複数の第１物理リソースを含み、前記複数の第１物理リソースと前記複数のアップリンク論理チャネルとが対応関係を有し、
前記送信モジュールは、更に、前記目標時間ユニット内の少なくとも１つの第１物理リソースを用いて前記アクセスネットワーク機器へ前記アップリンク情報を送信するように構成されることを特徴とする
請求項２６に記載の装置。
【請求項２８】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項２７に記載の装置。
【請求項２９】
前記アップリンク論理チャネルに対応するパラメータの優先度が、プロトコルに従って決められたものであることを特徴とする
請求項２８に記載の装置。
【請求項３０】
前記装置は、更に、
前記アクセスネットワーク機器から送信された、前記端末装置に前記第１種類の物理リソースを設定するための第１設定情報を受信するように構成される受信モジュールを備えることを特徴とする
請求項２６〜２９のいずれか１項に記載の装置。
【請求項３１】
前記送信モジュールは、更に、
前記目標時間ユニット内の第２種類の物理リソースを用いて前記アクセスネットワーク機器へ前記アップリンク情報及び前記第２スケジューリング要求を送信するように構成され、
前記第２種類の物理リソースが前記アップリンク情報を伝送するためのものであることを特徴とする
請求項２３〜２５のいずれか１項に記載の装置。
【請求項３２】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項３１に記載の装置。
【請求項３３】
前記装置は、更に、
前記アクセスネットワーク機器から送信された、前記端末装置に前記第２種類の物理リソースを設定するための第２設定情報を受信するように構成される受信モジュールを備えることを特徴とする
請求項３１に記載の装置。
【請求項３４】
アップリンク制御情報の伝送装置であって、
目標時間ユニットにおいて第１スケジューリング要求及びアップリンク情報を受信する必要がある場合、アクセスネットワーク機器が、端末装置が前記目標時間ユニット内の物理リソースにおいて同時に送信した前記アップリンク情報及び第２スケジューリング要求を受信するように構成される受信モジュールを備え、
前記端末装置が複数のアップリンク論理チャネルを用いてデータ伝送を行い、前記第１スケジューリング要求が、前記複数のアップリンク論理チャネルのうちの送信待ちデータが存在する論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送装置。
【請求項３５】
前記アップリンク論理チャネルのパラメータは、伝送時間間隔、サブキャリア間隔、遅延及び信頼性のうちの少なくとも１つを含むことを特徴とする
請求項３４に記載の装置。
【請求項３６】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項３４に記載の装置。
【請求項３７】
前記受信モジュールは、更に、前記端末装置が前記目標時間ユニット内の前記第１種類の物理リソースを用いて送信した前記アップリンク情報を受信するように構成され、
前記第１種類の物理リソースが、前記第１スケジューリング要求を伝送するためのものであることを特徴とする
請求項３４〜３６のいずれか１項に記載の装置。
【請求項３８】
前記装置は、更に、
前記端末装置に前記第１種類の物理リソースを設定するための第１設定情報を前記端末装置に送信するように構成される送信モジュールを備えることを特徴とする
請求項３７に記載の装置。
【請求項３９】
前記第１種類の物理リソースが複数の第１物理リソースを含み、前記複数の第１物理リソースと前記複数のアップリンク論理チャネルとが対応関係を有し、
前記受信モジュールは、更に、前記端末装置が前記目標時間ユニット内の少なくとも１つの第１物理リソースを用いて送信した前記アップリンク情報を受信するように構成されることを特徴とする
請求項３７に記載の装置。
【請求項４０】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項３９に記載の装置。
【請求項４１】
前記アップリンク論理チャネルに対応するパラメータの優先度が、プロトコルに従って決められたものであることを特徴とする
請求項４０に記載の装置。
【請求項４２】
前記受信モジュールは、更に、前記端末装置が前記目標時間ユニット内の前記第２種類の物理リソースを用いて送信した前記アップリンク情報及び前記第２スケジューリング要求を受信するように構成され、
前記第２種類の物理リソースが前記アップリンク情報を伝送するためのものであることを特徴とする
請求項３４〜３６のいずれか１項に記載の装置。
【請求項４３】
前記装置は、更に、
前記端末装置に前記第２種類の物理リソースを設定するための第２設定情報を前記端末装置に送信するように構成される送信モジュールを備えることを特徴とする
請求項４２に記載の装置。
【請求項４４】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項４２に記載の装置。
【請求項４５】
端末装置であって、
プロセッサ、受信機及び送信機を備え、
前記プロセッサは目標時間ユニットにおいて第１スケジューリング要求及びアップリンク情報を送信する必要がある場合、前記目標時間ユニット内の物理リソースにおいてアクセスネットワーク機器へ前記アップリンク情報及び第２スケジューリング要求を同時に送信するように構成され、
端末装置が複数のアップリンク論理チャネルを用いてデータ伝送を行い、前記第１スケジューリング要求が、前記複数のアップリンク論理チャネルのうちの送信待ちデータが存在するアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記端末装置。
【請求項４６】
前記アップリンク論理チャネルのパラメータは、伝送時間間隔、サブキャリア間隔、遅延及び信頼性のうちの少なくとも１つを含むことを特徴とする
請求項４５に記載の端末装置。
【請求項４７】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項４５に記載の端末装置。
【請求項４８】
前記プロセッサは、更に、前記目標時間ユニット内の第１種類の物理リソースを用いて前記アクセスネットワーク機器へ前記アップリンク情報を送信するように構成され、
前記第１種類の物理リソースが、前記第１スケジューリング要求を伝送するためのものであることを特徴とする
請求項４５〜４７のいずれか１項に記載の端末装置。
【請求項４９】
前記第１種類の物理リソースが複数の第１物理リソースを含み、前記複数の第１物理リソースと前記複数のアップリンク論理チャネルとが対応関係を有し、
前記プロセッサは、更に、前記目標時間ユニット内の少なくとも１つの第１物理リソースを用いて前記アクセスネットワーク機器へ前記アップリンク情報を送信するように構成されることを特徴とする
請求項４８に記載の端末装置。
【請求項５０】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項４９に記載の端末装置。
【請求項５１】
前記アップリンク論理チャネルに対応するパラメータの優先度が、プロトコルに従って決められたものであることを特徴とする
請求項５０に記載の端末装置。
【請求項５２】
前記プロセッサは、更に、前記アクセスネットワーク機器から送信された、前記端末装置に前記第１種類の物理リソースを設定するための第１設定情報を受信するように構成されることを特徴とする
請求項４８〜５１のいずれか１項に記載の端末装置。
【請求項５３】
前記プロセッサは、更に、
前記目標時間ユニット内の第２種類の物理リソースを用いて前記アクセスネットワーク機器へ前記アップリンク情報及び前記第２スケジューリング要求を送信するように構成され、
前記第２種類の物理リソースが前記アップリンク情報を伝送するためのものであることを特徴とする
請求項４５〜４７のいずれか１項に記載の端末装置。
【請求項５４】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項５３に記載の端末装置。
【請求項５５】
前記プロセッサは、更に、前記アクセスネットワーク機器から送信された、前記端末装置に前記第２種類の物理リソースを設定するための第２設定情報を受信するように構成されることを特徴とする
請求項５３に記載の端末装置。
【請求項５６】
アクセスネットワーク機器であって、
プロセッサ、送信機及び受信機を備え、
前記プロセッサは目標時間ユニットにおいて第１スケジューリング要求及びアップリンク情報を受信する必要がある場合、端末装置が前記目標時間ユニット内の物理リソースにおいて同時に送信した前記アップリンク情報及び第２スケジューリング要求を受信するように構成され、
前記端末装置が複数のアップリンク論理チャネルを用いてデータ伝送を行い、前記第１スケジューリング要求が、前記複数のアップリンク論理チャネルのうちの送信待ちデータが存在する論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アクセスネットワーク機器。
【請求項５７】
前記アップリンク論理チャネルのパラメータは、伝送時間間隔、サブキャリア間隔、遅延及び信頼性のうちの少なくとも１つを含むことを特徴とする
請求項５６に記載のアクセスネットワーク機器。
【請求項５８】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項５６に記載のアクセスネットワーク機器。
【請求項５９】
前記プロセッサは、更に、前記端末装置に第１種類の物理リソースを設定するための第１設定情報を前記端末装置に送信するように構成され、前記第１種類の物理リソースが、前記第１スケジューリング要求を伝送するための物理リソースであり、
前記プロセッサは、更に、前記端末装置が前記目標時間ユニット内の前記第１種類の物理リソースを用いて送信した前記アップリンク情報を受信するように構成され、
前記第１種類の物理リソースが、前記第１スケジューリング要求を伝送するためのものであることを特徴とする
請求項５６〜５８のいずれか１項に記載のアクセスネットワーク機器。
【請求項６０】
前記プロセッサは、更に、前記端末装置に前記第１種類の物理リソースを設定するための第１設定情報を前記端末装置に送信するように構成されることを特徴とする
請求項５９に記載のアクセスネットワーク機器。
【請求項６１】
前記第１種類の物理リソースが複数の第１物理リソースを含み、前記複数の第１物理リソースと前記複数のアップリンク論理チャネルとが対応関係を有し、
前記プロセッサは、更に、前記端末装置が前記目標時間ユニット内の少なくとも１つの第１物理リソースを用いて送信した前記アップリンク情報を受信するように構成されることを特徴とする
請求項５９に記載のアクセスネットワーク機器。
【請求項６２】
前記少なくとも１つの第１物理リソースは第１論理チャネルに対応する物理リソースを含み、前記第１論理チャネルは、前記端末装置が送信待ちデータが存在するアップリンク論理チャネルに対応するパラメータの優先度に基づいて確定したアップリンク論理チャネルを指すことを特徴とする
請求項６１に記載のアクセスネットワーク機器。
【請求項６３】
前記アップリンク論理チャネルに対応するパラメータの優先度が、プロトコルに従って決められたものであることを特徴とする
請求項６２に記載のアクセスネットワーク機器。
【請求項６４】
前記プロセッサは、更に、前記端末装置が前記目標時間ユニット内の前記第２種類の物理リソースを用いて送信した前記アップリンク情報及び前記第２スケジューリング要求を受信するように構成され、
前記第２種類の物理リソースが前記アップリンク情報を伝送するためのものであることを特徴とする
請求項５６〜５８のいずれか１項に記載のアクセスネットワーク機器。
【請求項６５】
前記プロセッサは、更に、前記端末装置に前記第２種類の物理リソースを設定するための第２設定情報を前記端末装置に送信するように構成されることを特徴とする
請求項６４に記載のアクセスネットワーク機器。
【請求項６６】
前記第２スケジューリング情報が１ビット情報であり、前記１ビット情報の値が第１所定値である場合に、前記複数のアップリンク論理チャネルに送信待ちのアップリンクデータが存在することを示し、前記１ビット情報の値が第２所定値である場合、前記複数のアップリンク論理チャネルに送信待ちのアップリンクデータが存在しないことを示すことを特徴とする
請求項６４に記載のアクセスネットワーク機器。
【請求項６７】
アップリンク制御情報の伝送システムであって、
端末装置及びアクセスネットワーク機器を備え、
前記端末装置が請求項２３〜３３のいずれか１項に記載の装置であり、
前記アクセスネットワーク機器が請求項３４〜４４のいずれか１項に記載の装置であることを特徴とする、前記アップリンク制御情報の伝送システム。
【発明の詳細な説明】
【技術分野】
【０００１】
本発明の実施例は通信分野に関し、特にアップリンク制御情報の伝送方法、装置及びシステムに関する。
【背景技術】
【０００２】
スケジューリング要求（ＳＲ：Ｓｃｈｅｄｕｌｉｎｇ  Ｒｅｑｕｅｓｔ）は、端末装置のアップリンクデータに、対応するアップリンク伝送リソースを割り当てるように基地局に通知することに用いられる。
【０００３】
ロングタームエボリューション（ＬＴＥ：Ｌｏｎｇ  Ｔｅｒｍ  Ｅｖｏｌｕｔｉｏｎ）システムにおいて、ユーザー装置（ＵＥ：Ｕｓｅｒ  Ｅｑｕｉｐｍｅｎｔ）がｅＮＢへアップリンクデータを送信する必要がある場合、ＵＥがまず予め設定された物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の物理リソースを用いてｅＮＢへＳＲを送信し、ｅＮＢが該ＳＲに基づいてＵＥにアップリンク伝送リソースを設定し、ＵＥがｅＮＢに設定されたアップリンク伝送リソースによってｅＮＢへアップリンクデータを送信するようにする。
【０００４】
上記方法において、ＳＲを伝送するために、ｅＮＢが各ＵＥに専用の物理リソースを予め設定し、従来のＬＴＥシステムのこれらの専用の物理リソースに対する利用率が低い。
【発明の概要】
【発明が解決しようとする課題】
【０００５】
関連技術におけるＬＴＥシステムのＳＲを伝送するための専用の物理リソースに対する利用率が低いという問題を解決するために、本発明の実施例はアップリンク制御情報の伝送方法、装置及びシステムを提供する。前記技術案は以下のとおりである。
【課題を解決するための手段】
【０００６】
本発明の実施例の第１態様によれば、アップリンク制御情報の伝送方法を提供し、該方法は、
目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信し、
端末装置が複数のアップリンク論理チャネルを用いてデータ伝送を行い、第１スケジューリング要求が複数のアップリンク論理チャネルのうちの送信待ちデータが存在するアップリンク論理チャネルを指示することに用いられ、第２スケジューリング要求が複数のアップリンク論理チャネルには送信待ちのアップリンクデータが存在するかどうかを示すことに用いられ、複数のアップリンク論理チャネルのうちの少なくとも２つのアップリンク論理チャネルのパラメータが異なることを含む。
【０００７】
可能な実現方式では、アップリンク論理チャネルのパラメータは、伝送時間間隔、サブキャリア間隔、遅延及び信頼性のうちの少なくとも１つを含む。
【０００８】
他の可能な実現方式では、アップリンク情報は、フィードバック応答情報ＡＣＫ／ＮＡＣＫ、チャネル状態情報ＣＳＩ及びアップリンクサービスデータのうちの少なくとも１つを含む。
【０００９】
他の可能な実現方式では、端末装置が目標時間ユニット内の物理リソースにおいてアクセスネットワーク機器へアップリンク情報及び第２スケジューリング要求を同時に送信することは、
端末装置が目標時間ユニット内の第１種類の物理リソースを用いてアクセスネットワーク機器へアップリンク情報を送信し、
第１種類の物理リソースが第１スケジューリング要求を伝送するための物理リソースであることを含む。
【００１０】
他の可能な実現方式では、第１種類の物理リソースが複数の第１物理リソースを含み、複数の第１物理リソースと複数のアップリンク論理チャネルとが対応関係を有し、
端末装置が目標時間ユニット内の第１種類の物理リソースを用いてアクセスネットワーク機器へアップリンク情報を送信することは、
端末装置が目標時間ユニット内の少なくとも１つの第１物理リソースを用いてアクセスネットワーク機器へアップリンク情報を送信することを含む。
【００１１】
他の可能な実現方式では、少なくとも１つの第１物理リソースは第１論理チャネルに対応する物理リソースを含み、第１論理チャネルは端末装置が送信待ちデータが存在するアップリンク論理チャネルに対応するパラメータの優先度に基づいて確定したアップリンク論理チャネルを指す。
【００１２】
他の可能な実現方式では、アップリンク論理チャネルに対応するパラメータの優先度が、プロトコルに従って決められたものである。
【００１３】
他の可能な実現方式では、端末装置が目標時間ユニット内の第１種類の物理リソースを用いてアクセスネットワーク機器へアップリンク情報を送信する前に、更に、
端末装置がアクセスネットワーク機器から送信された、端末装置に第１種類の物理リソースを設定するための第１設定情報を受信することを含む。
【００１４】
他の可能な実現方式では、端末装置が目標時間ユニット内の物理リソースにおいてアクセスネットワーク機器へアップリンク情報及び第２スケジューリング要求を同時に送信することは、
端末装置が目標時間ユニット内の第２種類の物理リソースを用いてアクセスネットワーク機器へアップリンク情報及び第２スケジューリング要求を送信し、
第２種類の物理リソースがアップリンク情報を伝送するための物理リソースであることを含む。
【００１５】
他の可能な実現方式では、第２スケジューリング情報が１ビット情報であり、１ビット情報の値が第１所定値である場合、複数のアップリンク論理チャネルに送信待ちのアップリンクデータが存在することを示し、１ビット情報の値が第２所定値である場合、複数のアップリンク論理チャネルに送信待ちのアップリンクデータが存在しないことを示す。
【００１６】
他の可能な実現方式では、端末装置が目標時間ユニット内の第２種類の物理リソースを用いてアクセスネットワーク機器へアップリンク情報及び第２スケジューリング要求を送信する前に、更に、
端末装置がアクセスネットワーク機器から送信された、端末装置に第２種類の物理リソースを設定するための第２設定情報を受信することを含む。
【００１７】
本発明の実施例の第２態様によれば、アップリンク制御情報の伝送方法を提供し、該方法は、
目標時間ユニットにおいて第１スケジューリング要求及びアップリンク情報を受信する必要がある場合、アクセスネットワーク機器が、端末装置が目標時間ユニット内の物理リソースにおいて同時に送信したアップリンク情報及び第２スケジューリング要求を受信し、
端末装置が複数のアップリンク論理チャネルを用いてデータ伝送を行い、第１スケジューリング要求が複数のアップリンク論理チャネルのうちの送信待ちデータが存在する論理チャネルを示すことに用いられ、第２スケジューリング要求が複数のアップリンク論理チャネルには送信待ちのアップリンクデータが存在するかどうかを示すことに用いられ、複数のアップリンク論理チャネルのうちの少なくとも２つのアップリンク論理チャネルのパラメータが異なることを含む。
【００１８】
可能な実現方式では、アップリンク論理チャネルのパラメータは、伝送時間間隔、サブキャリア間隔、遅延及び信頼性のうちの少なくとも１つを含む。
【００１９】
他の可能な実現方式では、アップリンク情報は、フィードバック応答情報ＡＣＫ／ＮＡＣＫ、チャネル状態情報ＣＳＩ及びアップリンクサービスデータのうちの少なくとも１つを含む。
【００２０】
他の可能な実現方式では、アクセスネットワーク機器が、端末装置が目標時間ユニット内の物理リソースにおいて同時に送信したアップリンク情報及び第２スケジューリング要求を受信することは、
アクセスネットワーク機器が、端末装置が目標時間ユニット内の第１種類の物理リソースを用いて送信したアップリンク情報を受信し、
第１種類の物理リソースが第１スケジューリング要求を伝送するための物理リソースであることを含む。
【００２１】
他の可能な実現方式では、アクセスネットワーク機器が端末装置に第１種類の物理リソースを設定するための第１設定情報を端末装置に送信する。
【００２２】
他の可能な実現方式では、第１種類の物理リソースが複数の第１物理リソースを含み、複数の第１物理リソースと複数のアップリンク論理チャネルとが対応関係を有し、
アクセスネットワーク機器が、端末装置が目標時間ユニット内の物理リソースにおいて同時に送信したアップリンク情報及び第２スケジューリング要求を受信することは、
アクセスネットワーク機器が、端末装置が目標時間ユニット内の少なくとも１つの第１物理リソースを用いて送信したアップリンク情報を受信することを含む。
【００２３】
他の可能な実現方式では、少なくとも１つの第１物理リソースは第１論理チャネルに対応する物理リソースを含み、第１論理チャネルは端末装置が送信待ちデータが存在するアップリンク論理チャネルに対応するパラメータの優先度に基づいて確定したアップリンク論理チャネルを指す。
【００２４】
他の可能な実現方式では、アップリンク論理チャネルに対応するパラメータの優先度が、プロトコルに従って決められたものである。
【００２５】
他の可能な実現方式では、アクセスネットワーク機器が、端末装置が目標時間ユニット内の物理リソースにおいて同時に送信したアップリンク情報及び第２スケジューリング要求を受信することは、
アクセスネットワーク機器が、端末装置が目標時間ユニット内の第２種類の物理リソースを用いて送信したアップリンク情報及び第２スケジューリング要求を受信し、
第２種類の物理リソースがアップリンク情報を伝送するための物理リソースであることを含む。
【００２６】
他の可能な実現方式では、アクセスネットワーク機器が端末装置に第２種類の物理リソースを設定するための第２設定情報を端末装置に送信する。
【００２７】
他の可能な実現方式では、第２スケジューリング情報が１ビット情報であり、１ビット情報の値が第１所定値である場合、複数のアップリンク論理チャネルに送信待ちのアップリンクデータが存在することを示し、１ビット情報の値が第２所定値である場合、複数のアップリンク論理チャネルに送信待ちのアップリンクデータが存在しないことを示す。
【００２８】
本発明の実施例の第３態様によれば、アップリンク制御情報の伝送装置を提供し、該装置は少なくとも１つのユニットを備え、該少なくとも１つのユニットは上記第１態様又は第１態様におけるいずれか１つの可能な実現方式に係るアップリンク制御情報の伝送方法を実現することに用いられる。
【００２９】
本発明の実施例の第４態様によれば、アップリンク制御情報の伝送装置を提供し、該装置は少なくとも１つのユニットを備え、該少なくとも１つのユニットは上記第２態様又は第２態様におけるいずれか１つの可能な実現方式に係るアップリンク制御情報の伝送方法を実現することに用いられる。
【００３０】
本発明の実施例の第５態様によれば、端末装置を提供し、該端末装置はプロセッサ、メモリ、送信機及び受信機を備え、
メモリは１つ又は１つ以上の命令を記憶することに用いられ、該命令がプロセッサにより実行されるように指示され、
プロセッサは目標時間ユニットにおいて第１スケジューリング要求及びアップリンク情報を送信する必要がある場合、前記目標時間ユニット内の物理リソースにおいてアクセスネットワーク機器へ前記アップリンク情報及び第２スケジューリング要求を同時に送信することに用いられ、
前記端末装置が複数のアップリンク論理チャネルを用いてデータ伝送を行い、前記第１スケジューリング要求が、前記複数のアップリンク論理チャネルのうちの送信待ちデータが存在するアップリンク論理チャネルを指示することに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なる。
【００３１】
本発明の実施例の第６態様によれば、アクセスネットワーク機器を提供し、該アクセスネットワーク機器はプロセッサ、メモリ、送信機及び受信機を備え、
メモリは１つ又は１つ以上の命令を記憶することに用いられ、該命令がプロセッサにより実行されるように指示され、
プロセッサは目標時間ユニットにおいて第１スケジューリング要求及びアップリンク情報を受信する必要がある場合、端末装置が前記目標時間ユニット内の物理リソースにおいて同時に送信した前記アップリンク情報及び第２スケジューリング要求を受信することに用いられ、
前記端末装置が複数のアップリンク論理チャネルを用いてデータ伝送を行い、前記第１スケジューリング要求が、前記複数のアップリンク論理チャネルのうちの送信待ちデータが存在する論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なる。
【００３２】
本発明の実施例の第７態様によれば、コンピュータ可読媒体を提供し、前記コンピュータ可読媒体に１つ又は１つ以上の命令が記憶され、上記第１態様又は第１態様におけるいずれか１つの可能な実現方式に係るアップリンク制御情報の伝送方法を実現するために、前記命令がプロセッサによりロード・実行される。
【００３３】
本発明の実施例の第８態様によれば、コンピュータ可読媒体を提供し、前記コンピュータ可読媒体に１つ又は１つ以上の命令が記憶され、上記第２態様又は第２態様におけるいずれか１つの可能な実現方式に係るアップリンク制御情報の伝送方法を実現するために、前記命令がプロセッサによりロード・実行される。
【００３４】
本発明の実施例の第９態様によれば、アップリンク制御情報の伝送システムを提供し、前記アップリンク制御情報の伝送システムは端末装置及びアクセスネットワーク機器を備え、前記端末装置は上記第３態様又は第３態様におけるいずれか１つの可能な実現方式に係るアップリンク制御情報の伝送装置を含み、前記アクセスネットワーク機器は上記第４態様又は第４態様におけるいずれか１つの可能な実現方式に係るアップリンク制御情報の伝送装置を含む。
【００３５】
本発明の実施例の第１０態様によれば、アップリンク制御情報の伝送システムを提供し、前記アップリンク制御情報の伝送システムは端末装置及びアクセスネットワーク機器を備え、前記端末装置は上記第５態様又は第５態様におけるいずれか１つの可能な実現方式に係る端末装置であり、前記アクセスネットワーク機器は上記第６態様又は第６態様におけるいずれか１つの可能な実現方式に係るアクセスネットワーク機器である。
【発明の効果】
【００３６】
本発明の実施例の技術案は以下の有益な効果を有する。
【００３７】
目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することにより、端末装置は第１スケジューリング要求又はアップリンク情報を伝送するための専用の物理リソースにおいてアップリンク情報及び第２スケジューリング要求を伝送することができ、ＬＴＥシステムのこれらの専用の物理リソースに対する利用率を向上させる。
【図面の簡単な説明】
【００３８】
【図１】図１は本発明の例示的な実施例に係る移動通信システムの構造模式図である。
【図２】図２は本発明の例示的な実施例に係る端末の構造模式図である。
【図３】図３は本発明の例示的な実施例に係るアップリンク制御情報の伝送方法のフローチャートである。
【図４】図４は本発明の他の例示的な実施例に係るアップリンク制御情報の伝送方法のフローチャートである。
【図５】図５は本発明の他の例示的な実施例に係るアップリンク制御情報の伝送方法のフローチャートである。
【図６】図６は本発明の例示的な実施例に係るアップリンク制御情報の伝送装置の構造模式図である。
【図７】図７は本発明の他の例示的な実施例に係るアップリンク制御情報の伝送装置の構造模式図である。
【図８】図８は本発明の例示的な実施例に係る端末装置の構造模式図である。
【図９】図９は本発明の例示的な実施例に係るアクセスネットワーク機器の構造模式図である。
【発明を実施するための形態】
【００３９】
本発明の実施例の技術案をより明確に説明するために、以下に実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００４０】
本発明の目的、技術案及び利点をより明確にするために、以下に図面を参照しながら本発明の実施形態を更に詳しく説明する。
【００４１】
本明細書に言及した「第１」「第２」及び類似用語は任意の順序、数又は重要性を示すためのものではなく、異なる構成部分を区別するためのものである。同様に、「１つ」又は「一」等の類似用語も数を制限するためのものではなく、少なくとも１つあることを示すためのものである。「接続」又は「連結」等の類似用語は物理的又は機械的接続に限らず、直接又は間接的な電気接続を含んでもよい。
【００４２】
本明細書に言及した「モジュール」は一般的にメモリに記憶されるいくつかの機能を実現できるプログラム又は命令を指し、本明細書に言及した「ユニット」は一般的に論理的に分割された機能構造を指し、該「ユニット」はハードウェアで実現されてもよく、又は、ソフトウェアとハードウェアの組み合わせで実現されてもよい。
【００４３】
本明細書に言及した「複数」は２つ又は２つ以上を指す。「及び／又は」は関連オブジェクトの関連関係を説明し、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。文字「／」は一般的に前後関連オブジェクトが「又は」関係であることを示す。
【００４４】
関連技術において、端末装置が複数のアップリンク論理チャネルを用いてデータ伝送を行い、論理チャネルはメディアアクセス制御（ＭＡＣ：Ｍｅｄｉｕｍ  Ａｃｃｅｓｓ  Ｃｏｎｔｒｏｌ）層が無線リンク制御（ＲＬＣ：Ｒａｄｉｏ  Ｌｉｎｋ  Ｃｏｎｔｒｏｌ）層にサービスを提供するチャネルである。端末装置に、アップリンクデータが送信待ちになっているアップリンク論理チャネルがある場合、端末装置が基地局へＳＲを送信する必要があり、該ＳＲが、端末装置にアップリンクデータが送信待ちになっているアップリンク論理チャネルがあることを基地局に示すことに用いられ、又は、該ＳＲがどのアップリンク論理チャネルに送信待ちのアップリンクデータが存在するかを基地局に示すことに用いられる。従って、基地局が端末装置にＳＲを伝送するための物理リソースを設定するための設定情報を端末装置に予め送信する。該物理リソースが２ビットの物理リソースであり、該ＳＲが２ビット情報である。それに対応して、端末装置が該２ビットの物理リソースを用いてＳＲを伝送し、該ＳＲの値とアップリンク論理チャネルとが対応関係を有する。
【００４５】
好ましくは、ＳＲの値とアップリンク論理チャネルとが1対1に対応する対応関係を有する。模式的に、アップリンク論理チャネルが４つであると仮定し、該対応関係は表１に示される。ＳＲの値は「００」「０１」「１０」及び「１１」の４つがあり、ＳＲの値が「００」である場合、端末装置におけるアップリンク論理チャネル１に送信待ちのアップリンクデータが存在することを示すことに用いられ、ＳＲの値が「０１」である場合、端末装置におけるアップリンク論理チャネル２に送信待ちのアップリンクデータが存在することを示すことに用いられ、ＳＲの値が「１０」である場合、端末装置におけるアップリンク論理チャネル３に送信待ちのアップリンクデータが存在することを示すことに用いられ、ＳＲの値が「１１」である場合、端末装置におけるアップリンク論理チャネル４に送信待ちのアップリンクデータが存在することを示すことに用いられる。
【表１】
2020521363.tif 000003
【００４６】
上記方法において、基地局が端末装置に予め設定した専用の物理リソースにおいてＳＲを伝送し、該物理リソースがＰＵＣＣＨリソースであってもよい。従来のＬＴＥシステムのこれらの専用の物理リソースに対する利用率が低い。この技術的問題に基づき、本発明はアップリンク制御情報の伝送方法、装置及びシステムを提供する。以下、以下の図１〜図５に係る方法実施例を参照する。
【００４７】
まず、本発明の実施例に係るいくつかの用語を説明する。
１、アップリンク制御情報（ＵＣＩ：Ｕｐｌｉｎｋ  Ｃｏｎｔｒｏｌ  Ｉｎｆｏｒｍａｔｉｏｎ）
前記アップリンク制御情報はＳＲ及びアップリンク情報を含む。
２、第１スケジューリング要求
前記第１スケジューリング要求は、複数のアップリンク論理チャネルのうちの送信待ちデータが存在するアップリンク論理チャネルを示すことに用いられる。第１スケジューリング要求は、どのアップリンク論理チャネルに送信待ちデータが存在するかを基地局に具体的に示すことに用いられる。送信待ちデータが存在するアップリンク論理チャネルは、端末のすべてのアップリンク論理チャネルのサブセットである。好ましくは、本発明の実施例において、第１スケジューリング要求は、目標時間ユニットにおいて送信しようとする、実際に送信待ちになっているスケジューリング要求である。
３、第２スケジューリング要求
前記第２スケジューリング要求は、複数のアップリンク論理チャネルのうちの送信待ちのアップリンクデータが存在するかどうかを示すことに用いられる。第２スケジューリング要求はどのアップリンク論理チャネルに送信待ちデータが存在するかを基地局に具体的に指示しなくてもよく、端末に送信待ちのアップリンクデータが存在することのみを基地局に示す可能性もある。好ましくは、本発明の実施例において、第２スケジューリング要求は、端末装置が目標時間ユニット内の物理リソースにおいて実際に送信する及び／又は暗示的に指示したスケジューリング要求であり、又は、アクセスネットワーク機器が目標時間ユニット内の物理リソースにおいてアップリンク情報を受信する際に確定された該物理リソースに対応するスケジューリング要求である。
４、アップリンク情報
前記アップリンク情報はフィードバック応答情報、チャネル状態情報（ＣＳＩ：Ｃｈａｎｎｅｌ  Ｓｔａｔｅ  Ｉｎｆｏｒｍａｔｉｏｎ）及びアップリンクサービスデータのうちの少なくとも１つを含む。フィードバック応答情報は肯定応答（ＡＣＫ：Ａｃｋｎｏｗｌｅｄｇｅｍｅｎｔ）及び否定応答（ＮＡＣＫ：Ｎｏｎ−Ａｃｋｎｏｗｌｅｄｇｅｍｅｎｔ）を含み、ＡＣＫはアクセスネットワーク機器が端末装置から送信されたアップリンクデータを正しく受信したことを示すことに用いられ、ＮＡＣＫはアクセスネットワーク機器が端末装置から送信されたアップリンクデータを正しく受信していないことを示すことに用いられ、ＣＳＩは端末装置が基地局へ伝送するアップリンクチャネルのチャネル状態情報を指し、端末装置のアップリンクチャネルのチャネル状態を示すことに用いられる。
【００４８】
本発明の実施例に係る一部の関連用語は３ＧＰＰプロトコルにおける対応する関連説明、例えば、ＡＣＫ／ＮＡＣＫ、ＣＳＩ及びアップリンクサービスデータ等を参照してもよく、本明細書では詳細な説明は省略する。
【００４９】
図１には本発明の例示的な実施例に係る移動通信システムの構造模式図を示す。移動通信システムはＬＴＥシステムであってもよいし、新無線インターフェース（ＮＲ：Ｎｅｗ  Ｒａｄｉｏ）システムとも称される５Ｇシステムであってもよく、本実施例は制限しない。該移動通信システムはアクセスネットワーク機器１２０及び端末装置１４０を備える。
【００５０】
アクセスネットワーク機器１２０は基地局であってもよく、該基地局は受信された無線フレーム及びＩＰパケットメッセージを変換することに用いられてもよく、更にエアインターフェースの属性管理を調整することができる。例えば、基地局はＬＴＥにおける発展型基地局（ｅＮＢ又はｅ−ＮｏｄｅＢ：ｅｖｏｌｕｔｉｏｎａｌ  Ｎｏｄｅ  Ｂ）であってもよく、又は、５Ｇシステムにおける集中分散アーキテクチャを用いた基地局であってもよい。アクセスネットワーク機器１２０は集中分散アーキテクチャを用いる場合、一般的に集約基地局（ＣＵ：ｃｅｎｔｒａｌ  ｕｎｉｔ）及び少なくとも２つのリモート局（ＤＵ：ｄｉｓｔｒｉｂｕｔｅｄ  ｕｎｉｔ）を備える。集約基地局にパケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御プロトコル（ＲＬＣ：Ｒａｄｉｏ  Ｌｉｎｋ  Ｃｏｎｔｒｏｌ）層、媒体アクセス制御（ＭＡＣ：Ｍｅｄｉａ  Ａｃｃｅｓｓ  Ｃｏｎｔｒｏｌ）層のプロトコルスタックが設置され、リモート局に物理層（ＰＨＹ：Ｐｈｙｓｉｃａｌ）のプロトコルスタックが設置され、本発明の実施例はアクセスネットワーク機器１２０の具体的な実現方式を制限しない。好ましくは、アクセスネットワーク機器は更にホーム基地局（ＨｅＮＢ：Ｈｏｍｅ  ｅＮＢ）、リレー（Ｒｅｌａｙ）、ピコ基地局Ｐｉｃｏ等を備えてもよい。
【００５１】
アクセスネットワーク機器１２０及び端末装置１４０が無線インターフェースを介して無線接続を確立する。好ましくは、該無線インターフェースは５Ｇ標準に基づく無線インターフェースであり、例えば該無線インターフェースは新無線インターフェース（ＮＲ：Ｎｅｗ  Ｒａｄｉｏ）であり、又は、該無線インターフェースは５Ｇの次世代移動通信ネットワーク技術標準に基づく無線インターフェースであってもよく、又は、該無線インターフェースは４Ｇ標準（ＬＴＥシステム）に基づく無線インターフェースであってもよい。アクセスネットワーク機器１２０は無線接続によって端末装置１４０から送信されたアップリンクデータを受信することができる。
【００５２】
端末装置１４０はアクセスネットワーク機器１２０とデータ通信を行う装置を指してもよい。端末装置１４０は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、端末装置１４０はモバイル端末装置、例えば携帯電話（「セルラー方式」の携帯電話とも称される）及びモバイル端末装置を有するコンピュータであってもよく、例えば、ポータブル、ポケットサイズ、手持ち式、コンピュータが内蔵された又は車載のモバイルデバイスであってもよい。例えば、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、トラバーサー（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末装置（Ｒｅｍｏｔｅ  Ｔｅｒｍｉｎａｌ）、アクセス端末装置（Ａｃｃｅｓｓ  Ｔｅｒｍｉｎａｌ）、ユーザー装置（Ｕｓｅｒ  Ｔｅｒｍｉｎａｌ）、ユーザーエージェント（Ｕｓｅｒ  Ａｇｅｎｔ）、端末装置（Ｕｓｅｒ  Ｄｅｖｉｃｅ）又はユーザー端末装置（ＵＥ：Ｕｓｅｒ  Ｅｑｕｉｐｍｅｎｔ）が挙げられる。好ましくは、端末装置１４０は更にリレー（Ｒｅｌａｙ）装置であってもよく、本実施例は制限しない。端末装置１４０はアクセスネットワーク機器１２０との無線接続によってアクセスネットワーク機器１２０へアップリンクデータを送信することができる。
【００５３】
好ましくは、アクセスネットワーク機器１２０が端末装置１４０に目標時間ユニット内の物理リソースを予め設定し、端末装置１４０が目標時間ユニットにおいて第１スケジューリング要求及びアップリンク情報を送信する必要がある場合、端末装置１４０が目標時間ユニット内の物理リソースにおいてアクセスネットワーク機器１２０へアップリンク情報及び第２スケジューリング要求を同時に送信する。
【００５４】
説明すべきことは、図１に示される移動通信システムにおいて、複数のアクセスネットワーク機器１２０及び／又は複数の端末装置１４０を備えてもよく、図１には１つのアクセスネットワーク機器１２０及び１つの端末装置１４０を示す場合を例として説明したが、本実施例は制限しない。
【００５５】
ＳＲを送信するための物理リソースを十分に利用するために、本発明の実施例は第１スケジューリング要求を送信するための物理リソースにおいて第２スケジューリング要求及び他のアップリンク情報を同時に送信し、又は、他のアップリンク情報を送信するための物理リソースにおいて第２スケジューリング要求及び他のアップリンク情報を同時に送信し、それによりアクセスネットワーク機器にＳＲを示すとともに、他のアップリンク情報を同時に送信する効果を実現する。
【００５６】
図２には本発明の例示的な実施例に係るアップリンク制御情報の伝送方法のフローチャートを示し、本実施例は該方法が図１に示される移動通信システムに適用される場合を例として説明する。該方法は以下のいくつかのステップを含む。
【００５７】
ステップ２０１、アクセスネットワーク機器が端末装置に目標時間ユニット内の物理リソースを設定する。
【００５８】
好ましくは、アクセスネットワーク機器が端末装置に目標時間ユニット内の物理リソースを設定するための設定情報を端末装置に送信する。該物理リソースが第１スケジューリング要求及び／又はアップリンク情報を送信することに用いられる。
【００５９】
好ましくは、目標時間ユニットは端末装置が第１スケジューリング要求及びアップリンク情報を送信する必要がある場合に対応する時間ユニットを指す。模式的に、目標時間ユニットがａ個のシンボル（ｓｙｍｂｏｌ）、ｂ個のシンボルグループ（ｓｙｍｂｏｌ  ｇｒｏｕｐ）、ｃ個のスロット（ｓｌｏｔ）又はｄ個のサブフレーム（ｓｕｂｆｒａｍｅ）であり、ａ、ｂ、ｃ、ｄが正の整数であり、本実施例は制限しない。
【００６０】
好ましくは、端末装置が複数のアップリンク論理チャネルを用いてデータ伝送を行い、複数のアップリンク論理チャネルのうちの少なくとも２つのアップリンク論理チャネルのパラメータが異なる。該「複数」は「ｎ個」であり、ｎが正の整数であると理解されてもよい。好ましくは、ｎ≧２である。
【００６１】
好ましくは、アップリンク論理チャネルのパラメータが該アップリンク論理チャネルの伝送要求を示すことに用いられ、アップリンク論理チャネルのパラメータは伝送時間間隔（ＴＴＩ：Ｔｒａｎｓｍｉｓｓｉｏｎ  Ｔｉｍｅ  Ｉｎｔｅｒｖａｌ）、サブキャリア間隔、遅延及び信頼性のうちの少なくとも１つを含む。好ましくは、少なくとも１つのパラメータが優先度で測定する。模式的に、ＴＴＩがミリ秒（ｍｓ：ｍｉｌｌｉｓｅｃｏｎｄ）又は直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）で測定し、例えば、１つのＴＴＩの時間長が０．５ｍｓ、又は７つのシンボル、４つのシンボル、３つのシンボル又は２つのＯＦＤＭシンボル等であり、サブキャリア間隔がキロヘルツｋＨｚで測定し、信頼性がパケットロス率で測定してもよい。又は、遅延及び信頼性がいずれもＱｏＳ（Ｑｕａｌｉｔｙ  ｏｆ  Ｓｅｒｖｉｃｅ、サービス品質）優先度で測定する。本実施例はアップリンク論理チャネルのパラメータのタイプ及び測定方式を制限しない。
【００６２】
ステップ２０２、端末装置がアクセスネットワーク機器によって設定された目標時間ユニット内の物理リソースを確定する。
【００６３】
好ましくは、端末装置がアクセスネットワーク機器から送信された設定情報を受信し、該設定情報に基づいて目標時間ユニット内の物理リソースを確定する。
【００６４】
ステップ２０３、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信する。
【００６５】
好ましくは、第１スケジューリング要求は端末装置が実際に生成していないスケジューリング要求又は端末装置が生成してからアクセスネットワーク機器へ送信しないスケジューリング要求である。模式的に、第１スケジューリング要求が２ビット情報であり、第１スケジューリング要求の値が「００」である場合、アップリンク論理チャネル１に送信待ちデータが存在することを示すことに用いられ、第１スケジューリング要求の値が「０１」である場合、論理チャネル２に送信待ちデータが存在することを示すことに用いられ、第１スケジューリング要求の値が「１０」である場合、論理チャネル３に送信待ちデータが存在することを示すことに用いられ、第１スケジューリング要求の値が「１１」である場合、論理チャネル４に送信待ちデータが存在することを示すことに用いられる。
【００６６】
第１スケジューリング要求を伝送する際に必要な物理リソース数が第２スケジューリング要求を伝送する際に必要な物理リソース数より大きい。
【００６７】
好ましくは、第２スケジューリング要求が１ビット情報であり、１ビット情報の値が第１所定値である場合、複数のアップリンク論理チャネルに送信待ちのアップリンクデータが存在することを示し、前記１ビット情報の値が第２所定値である場合、複数のアップリンク論理チャネルに送信待ちのアップリンクデータが存在しないことを示す。
【００６８】
例えば、目標時間ユニットが１つのスロットであり、該スロットにおいて第１スケジューリング要求ＳＲ１及びアップリンク情報Ｘ１を送信する必要がある場合、端末装置が該スロット内の物理リソースにおいてアクセスネットワーク機器へアップリンク情報Ｘ１及び第２スケジューリング要求ＳＲ２を同時に送信し、該第２スケジューリング要求ＳＲ２の値が第１所定値「１」である場合、端末装置の複数のアップリンク論理チャネルに送信待ちのアップリンクデータが存在することをアクセスネットワーク機器に示す。
【００６９】
ステップ２０４、アクセスネットワーク機器は端末装置が目標時間ユニット内の物理リソースにおいて同時に送信したアップリンク情報及び第２スケジューリング要求を受信する。
【００７０】
好ましくは、アクセスネットワーク機器が目標時間ユニット内の物理リソースにおいてアップリンク情報及び第２スケジューリング要求を受信した後、端末装置の複数のアップリンク論理チャネルのパラメータに基づいて１組のパラメータを確定して、該組のパラメータに基づいて端末装置にアップリンクデータを伝送するための物理リソースを設定する。
【００７１】
要するに、本発明の実施例において、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することにより、端末装置は第１スケジューリング要求又はアップリンク情報を伝送するための専用の物理リソースにおいてアップリンク情報及び第２スケジューリング要求を伝送することができ、ＬＴＥシステムのこれらの専用の物理リソースに対する利用率を向上させる。
【００７２】
説明すべきことは、アクセスネットワーク機器が端末装置に設定した目標時間ユニット内の物理リソースは第１種類の物理リソース及び／又は第２種類の物理リソースを含む。第１種類の物理リソースが第１スケジューリング要求を伝送するための物理リソースであり、第２種類の物理リソースがアップリンク情報を伝送するための物理リソースである。以下、図３に係る実施例は端末装置が第１種類の物理リソースを用いてアップリンク情報及び第２スケジューリング要求を同時に伝送する過程を説明し、図４に係る実施例は端末装置が第２種類の物理リソースを用いてアップリンク情報及び第２スケジューリング要求を同時に伝送する過程を説明する。
【００７３】
図３には本発明の例示的な実施例に係るアップリンク制御情報の伝送方法のフローチャートを示し、該方法は図１に示される移動通信システムに適用される。該方法は以下のいくつかのステップを含む。
【００７４】
ステップ３０１、アクセスネットワーク機器が端末装置へ第１設定情報を送信する。
【００７５】
第１設定情報は端末装置に第１種類の物理リソースを設定することに用いられ、第１種類の物理リソースが第１スケジューリング要求を伝送するための物理リソースである。又は、第１種類の物理リソースはアクセスネットワーク機器が端末装置に設定した第１スケジューリング要求を伝送するための物理リソースであるが、端末装置が該物理リソースを用いて第１スケジューリング要求を伝送することがない。
【００７６】
ステップ３０２、端末装置がアクセスネットワーク機器から送信された第１設定情報を受信する。
【００７７】
ステップ３０３、端末装置が目標時間ユニット内の第１種類の物理リソースを用いてアクセスネットワーク機器へアップリンク情報を送信する。
【００７８】
好ましくは、第１種類の物理リソースが２ビットの物理リソースであり、第１種類の物理リソースで伝送した第１アップリンク情報が２ビット情報である。
【００７９】
この時、アップリンク情報が第１種類の物理リソースにおいて送信され、更に、第２スケジューリング要求を暗示的に示すことに用いられる。
【００８０】
ステップ３０４、アクセスネットワーク機器は端末装置が目標時間ユニット内の第１種類の物理リソースを用いて送信したアップリンク情報を受信する。
【００８１】
ステップ３０５、アクセスネットワーク機器が第１種類の物理リソースにおいてアップリンク情報を受信したとき、第１種類の物理リソースに対応する第２スケジューリング要求を確定する。
【００８２】
第２スケジューリング要求が端末装置に送信待ちのアップリンクデータが存在することを示すことに用いられる。
【００８３】
好ましくは、端末装置がアクセスネットワーク機器へアップリンク情報を送信するために用いた物理リソースは第１種類の物理リソースであって、アクセスネットワーク機器が第１種類の物理リソースにおいてアップリンク情報を受信した場合、アクセスネットワーク機器は端末装置に送信待ちのアップリンクデータが存在することを確定する。
【００８４】
例えば、端末装置が３つのアップリンク論理チャネルを用いてデータ伝送を行い、端末装置が第１種類の物理リソースＳを用いてアクセスネットワーク機器へアップリンク情報Ｘ１を送信し、アクセスネットワーク機器が第１種類の物理リソースＳにおいてアップリンク情報Ｘ１を受信した場合、端末装置が第２スケジューリング要求を更に示したことを確定し、該第２スケジューリング要求は端末装置におけるある又はいくつかのアップリンク論理チャネルに送信待ちデータが存在することを示す。
【００８５】
ステップ３０６、アクセスネットワーク機器が端末装置の複数のアップリンク論理チャネルのパラメータに基づいて、アップリンクデータ伝送をスケジューリングするために用いるパラメータを確定する。
【００８６】
好ましくは、各アップリンク論理チャネルはそれぞれに対応するパラメータがあり、それに対応して、各論理チャネルはｍ（ｍが正の整数である）種類のパラメータがある場合を例として説明し、アップリンクデータ伝送をスケジューリングするために用いるパラメータを確定する方法は以下の２つを含むが、それらに限らない。
【００８７】
第１可能な確定方法
アクセスネットワーク機器が様々なタイプパラメータに対して、送信待ちデータが存在するアップリンク論理チャネルに対応するパラメータの優先度に基づき、複数のアップリンク論理チャネルの伝送要求を同時に満たすパラメータを、アップリンクデータ伝送をスケジューリングするために用いるパラメータとして確定する。
【００８８】
例えば、アップリンク論理チャネルのパラメータは伝送時間間隔、サブキャリア間隔、遅延及びパケットロス率を含み、送信待ちデータが存在するアップリンク論理チャネルはチャネル１、チャネル２及びチャネル３の３つがある。３つのアップリンク論理チャネルのパラメータは表２に示される。チャネル１のパラメータは伝送時間間隔「１ｍｓ」、サブキャリア間隔「１５ｋＨｚ」、遅延「１００ｍｓ」及びパケットロス率１０％」を含み、チャネル２のパラメータは伝送時間間隔「０．５ｍｓ」、サブキャリア間隔「３０ｋＨｚ」、遅延「５０ｍｓ」及びパケットロス率「１％」を含み、チャネル３のパラメータは伝送時間間隔「０．２５ｍｓ」、サブキャリア間隔「６０ｋＨｚ」、遅延「２５ｍｓ」及びパケットロス率「１％」を含む。従って、アクセスネットワーク機器は複数のアップリンク論理チャネルの伝送要求を同時に満たす３つのパラメータ、すなわち、最短伝送時間間隔「０．２５ｍｓ」、最大サブキャリア間隔「６０ｋＨｚ」、最短遅延「２５ｍｓ」及び最高信頼性「１％」を確定し、これらのパラメータを、アップリンクデータ伝送をスケジューリングするために用いるパラメータに組み合わせる。
【表２】
2020521363.tif 000004
【００８９】
第２可能な確定方法
アクセスネットワーク機器がプリセット条件を満たす最適なアップリンク論理チャネルを目標論理チャネルとして確定し、該目標論理チャネルに対応するパラメータを、アップリンクデータ伝送をスケジューリングするために用いるパラメータとして確定し、プリセット条件は伝送時間間隔が最も短いこと、サブキャリア間隔が最も大きいこと、遅延が最も短いこと及び信頼性が最も高いことのうちの少なくとも１つを含む。
【００９０】
上記表２に示される３つのアップリンク論理チャネルのパラメータによれば、アクセスネットワーク機器が２つのプリセット条件「遅延が最も短い」を満たすチャネル３を目標論理チャネルとして確定し、チャネル３に対応するパラメータ（伝送時間間隔「０．２５ｍｓ」、サブキャリア間隔「６０ｋＨｚ」、遅延「２５ｍｓ」及びパケットロス率「１％」）を、アップリンクデータ伝送をスケジューリングするために用いるパラメータとして確定する。本実施例はアップリンクデータ伝送をスケジューリングするために用いるパラメータの確定方式を制限しない。
【００９１】
ステップ３０７、アクセスネットワーク機器がアップリンクデータ伝送をスケジューリングするために用いるパラメータに基づき、端末装置に第３種類の物理リソースを設定し、第３種類の物理リソースがアップリンクデータを伝送するための物理リソースである。
【００９２】
好ましくは、アクセスネットワーク機器がアップリンクデータ伝送をスケジューリングするために用いるパラメータに基づき、端末装置にアップリンクデータを伝送するための第３種類の物理リソース、及び／又は変調符号化レベル、及び／又は送信電力、及び／又は事前符号化情報を設定する。
【００９３】
要するに、本発明の実施例において、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することにより、端末装置はスケジューリング要求及びアップリンク情報を同時に伝送することができ、アップリンク制御シグナリングの伝送効率を向上させる。
【００９４】
説明すべきことは、第１種類の物理リソースが複数の第１物理リソースを含み、複数の第１物理リソースと複数のアップリンク論理チャネルとが対応関係を有し、前記対応関係は以下の３つの可能な対応関係を含む。
【００９５】
第１可能な対応関係は各第１物理リソースとアップリンク論理チャネルとが1対１に対応する関係を有する。該対応関係はアクセスネットワーク機器が予め設定・記憶したものであり、該対応関係は表３に示される。第１種類の物理リソースは第１物理リソースＳ１、第１物理リソースＳ２、第１物理リソースＳ３及び第１物理リソースＳ４を含む。端末が第１物理リソースＳ１を用いる場合、アップリンク論理チャネル１に送信待ちのアップリンクデータが存在することを示すことに用いられ、端末が第１物理リソースＳ２を用いる場合、アップリンク論理チャネル３に送信待ちのアップリンクデータが存在することを示すことに用いられ、端末が第１物理リソースＳ３を用いる場合、アップリンク論理チャネル３に送信待ちのアップリンクデータが存在することを示すことに用いられ、端末が第１物理リソースＳ４を用いる場合、アップリンク論理チャネル４に送信待ちのアップリンクデータが存在することを示すことに用いられる。
【表３】
2020521363.tif 000005
【００９６】
第２可能な対応関係は各アップリンク論理チャネルと複数の第１物理リソースとが対応関係を有する。該対応関係はアクセスネットワーク機器が予め設定・記憶したものであり、該対応関係は表４に示される。第１種類の物理リソースは第１物理リソースＳ１、第１物理リソースＳ２及び第１物理リソースＳ３を含む。端末が第１物理リソースＳ１を用いる場合、アップリンク論理チャネル１に送信待ちのアップリンクデータが存在することを示すことに用いられ、端末が第１物理リソースＳ２を用いる場合、アップリンク論理チャネル２に送信待ちのアップリンクデータが存在することを示すことに用いられ、端末が第１物理リソースＳ３を用いる場合、アップリンク論理チャネル１及びアップリンク論理チャネル２に送信待ちのアップリンクデータが存在することを示すことに用いられる。
【表４】
2020521363.tif 000006
【００９７】
第３可能な対応関係は各第１物理リソースと複数のアップリンク論理チャネルとが対応関係を有する。該対応関係はアクセスネットワーク機器が予め設定・記憶したものであり、該対応関係は表５に示される。第１種類の物理リソースは第１物理リソースＳ１及び第１物理リソースＳ２を含む。端末が第１物理リソースＳ１を用いる場合、アップリンク論理チャネル１及び／又はアップリンク論理チャネル２に送信待ちのアップリンクデータが存在することを示すことに用いられ、端末が第１物理リソースＳ２を用いる場合、アップリンク論理チャネル３及び／又はアップリンク論理チャネル４に送信待ちのアップリンクデータが存在することを示すことに用いられる。例えば、第１物理リソースＳ１が１ビット情報であり、値が０である場合、アップリンク論理チャネル１に送信待ちデータが存在することを示し、値が１である場合、アップリンク論理チャネル２に送信待ちデータが存在することを示す。
【表５】
2020521363.tif 000007
【００９８】
上記複数の第１物理リソースと複数のアップリンク論理チャネルとの対応関係が模式的なものに過ぎず、上記様々な可能な実現方式に基づき、当業者が常用の技術的手段を用いて得られる解決手段はいずれも本願の保護を要求する範囲に属する。
【００９９】
好ましくは、表５に係る第３可能な対応関係に基づき、第４可能な対応関係があり、該対応関係は表６に示される。例えば、第１物理リソースＳ３が１ビット情報であり、値が０である場合、アップリンク論理チャネル１及びアップリンク論理チャネル２に送信待ちデータが存在することを示し、値が１である場合、アップリンク論理チャネル１及びアップリンク論理チャネル３に送信待ちデータが存在することを示す。
【表６】
2020521363.tif 000008
【０１００】
図４には本発明の他の例示的な実施例に係るアップリンク制御情報の伝送方法のフローチャートを示し、該方法は図１に示される移動通信システムに適用される。該方法は以下のいくつかのステップを含む。
【０１０１】
ステップ４０１、アクセスネットワーク機器が端末装置へ第１設定情報を送信する。
【０１０２】
第１設定情報は端末装置に第１種類の物理リソースを設定することに用いられ、第１種類の物理リソースが複数の第１物理リソースを含み、複数の第１物理リソースと複数のアップリンク論理チャネルとが対応関係を有する。
【０１０３】
ステップ４０２、端末装置がアクセスネットワーク機器から送信された第１設定情報を受信する。
【０１０４】
ステップ４０３、端末装置が目標時間ユニット内の少なくとも１つの第１物理リソースを用いてアクセスネットワーク機器へアップリンク情報を送信する。
【０１０５】
好ましくは、第１種類の物理リソースが複数の第１物理リソースを含み、各第１物理リソースが２ビットの物理リソースであり、第１物理リソースを用いて伝送したアップリンク情報が２ビット情報である。
【０１０６】
端末装置が目標時間ユニット内の少なくとも１つの第１物理リソースを用いてアクセスネットワーク機器へアップリンク情報を送信することは、以下の２つの可能な実現方式を含むが、それらに限らない。
【０１０７】
第１可能な実現方式では、端末装置が目標時間ユニット内の１つの第１物理リソースを用いてアクセスネットワーク機器へアップリンク情報を送信する。
【０１０８】
例えば、第１種類の物理リソースは第１物理リソースＳ１及び第１物理リソースＳ２を含み、アクセスネットワーク機器は、第１物理リソースＳ１がアップリンク論理チャネル１及びアップリンク論理チャネル２とともに対応関係を有し、第１物理リソースＳ２がアップリンク論理チャネル３及びアップリンク論理チャネル４とともに対応関係を有するということを予め設定する。端末装置が目標時間ユニット内の第１物理リソースＳ１を用いてアクセスネットワーク機器へアップリンク情報Ｘ１を送信する。
【０１０９】
第２可能な実現方式では、端末装置が目標時間ユニット内の少なくとも２つの第１物理リソースを用いてアクセスネットワーク機器へアップリンク情報を送信し、各第１物理リソースにおいて同じアップリンク情報を伝送する。
【０１１０】
例えば、第１種類の物理リソースは第１物理リソースＳ１及び第１物理リソースＳ２を含み、アクセスネットワーク機器は、第１物理リソースＳ１がアップリンク論理チャネル１及びアップリンク論理チャネル２とともに対応関係を有し、第１物理リソースＳ２がアップリンク論理チャネル３及びアップリンク論理チャネル４とともに対応関係を有するということを予め設定する。端末装置が目標時間ユニット内の第１物理リソースＳ１を用いてアクセスネットワーク機器へアップリンク情報Ｘ１を送信すると同時に、更に目標時間ユニット内の第１物理リソースＳ２を用いてアクセスネットワーク機器へアップリンク情報Ｘ１を送信する。
【０１１１】
好ましくは、端末がアップリンク情報を伝送する際に用いた少なくとも１つの第１物理リソースは第１論理チャネルに対応する物理リソースを含み、該第１論理チャネルは端末装置が送信待ちデータが存在するアップリンク論理チャネルに対応するパラメータの優先度に基づいて確定したアップリンク論理チャネルを指す。模式的に、アップリンク論理チャネルに対応するパラメータの優先度が、プロトコルに従って決められたものである。
【０１１２】
好ましくは、端末装置が送信待ちデータが存在するアップリンク論理チャネルに対応するパラメータの優先度に基づいて確定した第１論理チャネルは伝送要求の最も高いアップリンク論理チャネルであり、該第１論理チャネルは伝送時間間隔が最も小さいこと、サブキャリア間隔が最も小さいこと、遅延が最も短いこと及び信頼性が最も高いことのうちの少なくとも１つを満たす。
【０１１３】
例えば、送信待ちデータが存在するアップリンク論理チャネルがアップリンク論理チャネル１及びアップリンク論理チャネル２であり、アップリンク論理チャネル１が物理リソースＳ１に対応し、アップリンク論理チャネル１が物理リソースＳ２に対応し、アップリンク論理チャネル１が上記パラメータ条件を満たし、つまり、アップリンク論理チャネル１が第１論理チャネルである場合、端末装置がアクセスネットワーク機器へアップリンク情報を送信するために用いた少なくとも１つの第１物理リソースＳは論理チャネル１に対応する物理リソースＳ１を含む。
【０１１４】
ステップ４０４、アクセスネットワーク機器は端末装置が目標時間ユニット内の少なくとも１つの第１物理リソースを用いて送信したアップリンク情報を受信する。
【０１１５】
ステップ４０５、アクセスネットワーク機器が少なくとも１つの第１物理リソースにおいてアップリンク情報を受信したとき、少なくとも１つの第１物理リソースに対応する第２スケジューリング要求を確定する。
【０１１６】
第２スケジューリング要求が少なくとも１つの第１物理リソースに対応するアップリンク論理チャネルには送信待ちのアップリンクデータが存在することを示すことに用いられる。
【０１１７】
好ましくは、端末装置がステップ４０３における第１可能な実現方式を用いてアクセスネットワーク機器へアップリンク情報を送信し、それに対応して、アクセスネットワーク機器は該第１物理リソースにおいてアップリンク情報を受信したとき、該第１物理リソースに対応するアップリンク論理チャネルには送信待ちのアップリンクデータが存在することを確定する。
【０１１８】
例えば、アクセスネットワーク機器は第１物理リソースＳ１においてアップリンク情報Ｘ１を受信したとき、第１物理リソースＳ１に対応するアップリンク論理チャネル１及び／又はアップリンク論理チャネル２に送信待ちのアップリンクデータが存在することを確定する。好ましくは、端末装置がステップ４０３における第２可能な実現方式を用いてアクセスネットワーク機器へアップリンク情報を送信し、それに対応して、アクセスネットワーク機器は少なくとも２つの第１物理リソースにおいてアップリンク情報を受信したとき、少なくとも２つの第１物理リソースに対応するアップリンク論理チャネルには送信待ちのアップリンクデータが存在することを確定する。
【０１１９】
例えば、アクセスネットワーク機器は第１物理リソースＳ１においてアップリンク情報Ｘ１を受信したとき、第１物理リソースＳ１に対応するアップリンク論理チャネル１及び／又はアップリンク論理チャネル２には送信待ちのアップリンクデータが存在することを確定し、及び／又は、アクセスネットワーク機器は第１物理リソースＳ２においてアップリンク情報Ｘ１を受信したとき、第１物理リソースＳ２に対応するアップリンク論理チャネル１及び／又はアップリンク論理チャネル２には送信待ちのアップリンクデータが存在することを確定する。
【０１２０】
ステップ４０６、アクセスネットワーク機器が少なくとも１つの第１物理リソースに対応するアップリンク論理チャネルのパラメータに基づき、アップリンクデータ伝送をスケジューリングするために用いるパラメータを確定する。
【０１２１】
好ましくは、各アップリンク論理チャネルはそれぞれに対応するパラメータがあり、それに対応して、各論理チャネルはそれぞれｍ（ｍが正の整数である）種類のパラメータがある場合を例として説明し、アップリンクデータ伝送をスケジューリングするために用いるパラメータを確定する方法は以下のいくつかの可能な実現方式を含むが、それらに限らない。
【０１２２】
可能な実現方式では、表３に示される対応関係によれば、各第１物理リソースがアップリンク論理チャネルに1対１に対応する。端末装置が１つの第１物理リソースを用いてアクセスネットワーク機器へアップリンクデータを送信する場合、アクセスネットワーク機器が該第１物理リソースに対応するアップリンク論理チャネルのパラメータを、アップリンクデータ伝送をスケジューリングするために用いるパラメータとして確定する。
【０１２３】
例えば、端末装置が１つの第１物理リソースＳ１を用いてアクセスネットワーク機器へアップリンクデータを送信する場合、アクセスネットワーク機器が第１物理リソースＳ１に対応するアップリンク論理チャネル１のパラメータ（伝送時間間隔「０．２５ｍｓ」、サブキャリア間隔「６０ｋＨｚ」、遅延「２５ｍｓ」及びパケットロス率「１％」）を、アップリンクデータ伝送をスケジューリングするために用いるパラメータとして確定する。
【０１２４】
他の可能な実現方式では、表３に示される対応関係によれば、各第１物理リソースがアップリンク論理チャネルに1対１に対応する。端末装置が少なくとも２つの第１物理リソースを用いてアクセスネットワーク機器へアップリンクデータを送信する場合、アクセスネットワーク機器が少なくとも２つの第１物理リソースに対応するアップリンク論理チャネルのパラメータに基づき、アップリンクデータ伝送をスケジューリングするために用いるパラメータを確定する。具体的な詳細は図３に係る実施例におけるアップリンクデータ伝送をスケジューリングするために用いるパラメータを確定する方法を参照してもよく、ここで詳細な説明は省略する。
【０１２５】
他の可能な実現方式では、表４に示される対応関係によれば、各アップリンク論理チャネルと複数の第１物理リソースとが対応関係を有する。端末装置が１つの第１物理リソースを用いてアクセスネットワーク機器へアップリンクデータを送信する場合、アクセスネットワーク機器が該第１物理リソースに対応するアップリンク論理チャネルのパラメータを、アップリンクデータ伝送をスケジューリングするために用いるパラメータとして確定する。
【０１２６】
例えば、端末装置が１つの第１物理リソースＳ２を用いてアクセスネットワーク機器へアップリンクデータを送信する場合、アクセスネットワーク機器が第１物理リソースＳ２に対応するアップリンク論理チャネル２のパラメータ（伝送時間間隔「０．５ｍｓ」、サブキャリア間隔「３０ｋＨｚ」、遅延「５０ｍｓ」及びパケットロス率「１％）を、アップリンクデータ伝送をスケジューリングするために用いるパラメータとして確定する。
【０１２７】
他の可能な実現方式では、表４に示される対応関係によれば、各アップリンク論理チャネルと複数の第１物理リソースとが対応関係を有する。端末装置が少なくとも２つの第１物理リソースを用いてアクセスネットワーク機器へアップリンクデータを送信する場合、アクセスネットワーク機器が少なくとも２つの第１物理リソースに対応するアップリンク論理チャネルのパラメータに基づき、アップリンクデータ伝送をスケジューリングするために用いるパラメータを確定する。具体的な詳細は図３に係る実施例におけるアップリンクデータ伝送をスケジューリングするために用いるパラメータを確定する方法を参照してもよく、ここで詳細な説明は省略する。
【０１２８】
他の可能な実現方式では、表５に示される対応関係によれば、各第１物理リソースと複数のアップリンク論理チャネルとが対応関係を有する。端末装置が少なくとも１つの第１物理リソースを用いてアクセスネットワーク機器へアップリンクデータを送信する場合、アクセスネットワーク機器が少なくとも１つの第１物理リソースに対応するアップリンク論理チャネルのパラメータに基づき、アップリンクデータ伝送をスケジューリングするために用いるパラメータを確定する。具体的な詳細は図３に係る実施例におけるアップリンクデータ伝送をスケジューリングするために用いるパラメータを確定する方法を参照してもよく、ここで詳細な説明は省略する。
【０１２９】
ステップ４０７、アクセスネットワーク機器がアップリンクデータ伝送をスケジューリングするために用いるパラメータに基づき、端末装置に第３種類の物理リソースを設定し、第３種類の物理リソースがアップリンクデータを伝送するための物理リソースである。
【０１３０】
好ましくは、アクセスネットワーク機器がアップリンクデータ伝送をスケジューリングするために用いるパラメータに基づき、端末装置にアップリンクデータを伝送するための第３種類の物理リソースを設定し、該第３種類の物理リソースがｉビットの物理リソースであり、ｉが１より大きな正の整数である。
【０１３１】
要するに、本発明の実施例において、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することにより、端末装置は第１スケジューリング要求又はアップリンク情報を伝送するための専用の物理リソースにおいてアップリンク情報及び第２スケジューリング要求を伝送することができ、ＬＴＥシステムのこれらの専用の物理リソースに対する利用率を向上させる。
【０１３２】
本発明の実施例において、更にアクセスネットワーク機器が端末装置に設定した第１スケジューリング要求を伝送するための第１種類の物理リソースによって、端末装置が目標時間ユニット内の第１種類の物理リソースを用いてアクセスネットワーク機器へアップリンク情報を送信し、端末装置は第１スケジューリング要求を伝送するための専用の物理リソースにおいてアップリンク情報を伝送することができ、ＬＴＥシステムのこれらの専用の物理リソースに対する利用率を向上させる。
【０１３３】
本発明の実施例において、更に複数の第１物理リソースと前記複数のアップリンク論理チャネルとが対応関係を有し、アクセスネットワーク機器は第１種類の物理リソースにおいてアップリンク情報を受信することができ、それにより第２スケジューリング要求を確定し、更に該第２スケジューリング要求で指示される端末装置には送信待ちのアップリンクデータが存在することを確定し、第１物理リソースは第２スケジューリング要求を暗示的に示すことができる。
【０１３４】
図５には本発明の例示的な実施例に係るアップリンク制御情報の伝送方法のフローチャートを示し、該方法は図１に示される移動通信システムに適用される。該方法は以下のいくつかのステップを含む。
【０１３５】
ステップ５０１、アクセスネットワーク機器が端末装置へ第２設定情報を送信する。
【０１３６】
第２設定情報は端末装置に第２種類の物理リソースを設定することに用いられ、第２種類の物理リソースがアップリンク情報を伝送するための物理リソースである。
【０１３７】
ステップ５０２、端末装置がアクセスネットワーク機器から送信された第２設定情報を受信する。
【０１３８】
ステップ５０３、端末装置が目標時間ユニット内の第２種類の物理リソースを用いてアクセスネットワーク機器へアップリンク情報及び第２スケジューリング要求を送信する。
【０１３９】
第２種類の物理リソースはアクセスネットワーク機器が端末装置に設定したアップリンク情報を伝送するための物理リソースである。好ましくは、第２種類の物理リソースがＰビットの物理リソースであり、前記第２種類の物理リソースを用いて伝送した前記アップリンク情報がＰ−１ビット情報であり、前記第２種類の物理リソースを用いて伝送した前記第２スケジューリング要求が１ビット情報であり、Ｐが１より大きな正の整数である。
【０１４０】
好ましくは、第２スケジューリング要求が１ビット情報であり、１ビット情報の値が第１所定値（例えば「１」）である場合、複数のアップリンク論理チャネルに送信待ちのアップリンクデータが存在することを示し、前記１ビット情報の値が第２所定値（例えば「０」）である場合、複数のアップリンク論理チャネルに送信待ちのアップリンクデータが存在しないことを示す。
【０１４１】
模式的に、端末装置が１ビットの第２スケジューリング要求を確定するとき、１ビットの第２スケジューリング要求とＰ−１ビットのアップリンク情報を縦続接続してからまとめて符号化し、符号化後に端末装置が目標時間ユニット内の第２種類の物理リソースを用いてアクセスネットワーク機器へアップリンク情報及び第２スケジューリング要求を送信する。
【０１４２】
例えば、第２スケジューリング要求が１ビット情報「１」であって、アップリンク情報が４ビット情報「１０１０」である場合、端末装置が第２種類の物理リソースＴを用いてアクセスネットワーク機器へ５ビット情報「１０１０１」を送信する。
【０１４３】
ステップ５０４、アクセスネットワーク機器は端末装置が目標時間ユニット内の第２種類の物理リソースを用いて送信したアップリンク情報及び第２スケジューリング要求を受信する。
【０１４４】
好ましくは、アクセスネットワーク機器は端末装置が目標時間ユニット内の第２種類の物理リソースを用いて送信した５ビット情報「１０１０１」を受信した後、アップリンク情報「１０１０」及び第２スケジューリング要求「１」を確定し、第２スケジューリング要求「１」は端末装置の複数のアップリンク論理チャネルには送信待ちのアップリンクデータが存在することをアクセスネットワーク機器に示すことに用いられる。
【０１４５】
ステップ５０５、アクセスネットワーク機器が端末装置の複数のアップリンク論理チャネルのパラメータに基づいて、アップリンクデータ伝送をスケジューリングするために用いるパラメータを確定する。
【０１４６】
好ましくは、各アップリンク論理チャネルにはそれぞれに対応するパラメータがあり、それに対応して、各論理チャネルにｍ（ｍが正の整数である）種類のパラメータがある場合を例として説明し、アップリンクデータ伝送をスケジューリングするために用いるパラメータを確定する方法は２つの可能な確定方法を含むが、それらに限らず、具体的な詳細は図３に示される実施例におけるアップリンクデータ伝送をスケジューリングするために用いるパラメータを確定する方法を参照してもよく、ここで詳細な説明は省略する。
【０１４７】
ステップ５０６、アクセスネットワーク機器がアップリンクデータ伝送をスケジューリングするために用いるパラメータに基づき、端末装置に第３種類の物理リソースを設定し、第３種類の物理リソースがアップリンクデータを伝送するための物理リソースである。
【０１４８】
好ましくは、アクセスネットワーク機器がアップリンクデータ伝送をスケジューリングするために用いるパラメータに基づき、端末装置にアップリンクデータを伝送するための第３種類の物理リソースを設定し、該第３種類の物理リソースがｉビットの物理リソースであり、ｉが１より大きな正の整数である。
【０１４９】
要するに、本発明の実施例において、目標時間ユニットにおいて第１スケジューリング要求及びアップリンク情報を送信する必要がある場合、端末装置が目標時間ユニット内の物理リソースにおいてアクセスネットワーク機器へアップリンク情報及び第２スケジューリング要求を同時に送信することにより、端末装置は第１スケジューリング要求又はアップリンク情報を伝送するための専用の物理リソースにおいてアップリンク情報及び第２スケジューリング要求を伝送することができ、ＬＴＥシステムのこれらの専用の物理リソースに対する利用率を向上させる。
【０１５０】
本発明の実施例において、更にアクセスネットワーク機器が端末装置に設定したアップリンク情報を伝送するための第２種類の物理リソースによって、端末装置が目標時間ユニット内の第２種類の物理リソースを用いてアクセスネットワーク機器へアップリンク情報及び第２スケジューリング要求を送信し、端末装置はアップリンク情報を伝送するための専用の物理リソースにおいてアップリンク情報及び第２スケジューリング要求を伝送することができ、ＬＴＥシステムのこれらの専用の物理リソースに対する利用率を向上させる。
【０１５１】
以下は本発明の実施例の装置実施例であり、装置実施例における未説明の部分は上記方法実施例に開示される技術的詳細を参照してもよい。
【０１５２】
図６には本発明の一実施例に係るアップリンク制御情報の伝送装置の構造模式図を示す。該アップリンク制御情報の伝送装置はソフトウェア、ハードウェア及びそれらの組み合わせで実現されて端末装置の全部又は一部となってもよい。該アップリンク制御情報の伝送装置は送信モジュール６１０及び受信モジュール６２０を備える。
【０１５３】
送信モジュール６１０は上記ステップ２０３を実現することに用いられる。
【０１５４】
受信モジュール６２０は上記ステップ２０２を実現することに用いられる。
【０１５５】
図６に示される実施例に係る好適な実施例において、該送信モジュール６１０は更に上記ステップ３０３又は４０３を実現することに用いられ、受信モジュール６２０は更に上記ステップ３０２又はステップ４０２を実現することに用いられる。
【０１５６】
図６に示される実施例に係る好適な実施例において、該送信モジュール６１０は更に上記ステップ５０３を実現することに用いられ、受信モジュール６２０は更に上記ステップ５０２を実現することに用いられる。
【０１５７】
関連詳細は図１〜図５に示される方法実施例を参照してもよい。送信モジュール６１０は更に上記方法実施例における他の任意の暗示又は開示される送信ステップに関連する機能を実現することに用いられ、受信モジュール６２０は更に上記方法実施例における他の任意の暗示又は開示される受信ステップに関連する機能を実現することに用いられる。
【０１５８】
図７には本発明の一実施例に係るアップリンク制御情報の伝送装置の構造模式図を示す。該アップリンク制御情報の伝送装置はソフトウェア、ハードウェア及びそれらの組み合わせで実現されてアクセスネットワーク機器の全部又は一部となってもよい。該アップリンク制御情報の伝送装置は送信モジュール７１０及び受信モジュール７２０を備える。
【０１５９】
送信モジュール７１０は上記ステップ２０１又はステップ３０１又はステップ４０１を実現することに用いられる。
【０１６０】
受信モジュール７２０は上記ステップ２０４を実現することに用いられる。
【０１６１】
図７に示される実施例に係る好適な実施例において、受信モジュール７２０は更に上記ステップ３０４及び３０５を実現することに用いられる。
【０１６２】
図７に示される実施例に係る好適な実施例において、受信モジュール７２０は更に上記ステップ４０４及び４０５を実現することに用いられる。
【０１６３】
関連詳細は図１〜図５に示される方法実施例を参照してもよい。送信モジュール７１０は更に上記方法実施例における他の任意の暗示又は開示される送信ステップに関連する機能を実現することに用いられ、受信モジュール７２０は更に上記方法実施例における他の任意の暗示又は開示される受信ステップに関連する機能を実現することに用いられる。
【０１６４】
図８には本発明の例示的な実施例に係る端末装置の構造模式図を示し、該アクセスネットワーク機器は図１に示される移動通信システムにおける端末装置１４０であってもよい。本実施例は端末装置１４０がＬＴＥシステム又は５ＧシステムにおけるＵＥである場合を例として説明し、該端末装置はプロセッサ２１、受信機２２、送信機２３、メモリ２４及びバス２５を備える。
【０１６５】
プロセッサ２１は１つ又は１つ以上の処理コアを備え、プロセッサ２１がソフトウェアプログラム及びモジュールを実行することにより、様々な機能アプリケーション及び情報処理を実行する。
【０１６６】
受信機２２及び送信機２３が１つの通信コンポーネントとして実現されてもよく、該通信コンポーネントが１つの通信チップであってもよく、通信チップには情報を変調及び／又は復調して、無線信号によって該情報を受信又は送信するための受信モジュール、送信モジュール及びモデムモジュール等が含まれてもよい。
【０１６７】
メモリ２４がバス２５によってプロセッサ２１に接続される。
【０１６８】
メモリ２４がソフトウェアプログラム及びモジュールを記憶することに用いられてもよい。
【０１６９】
メモリ２４に少なくとも１つの機能が記憶されてもよく、前記アプリケーションプログラムモジュール２６は受信モジュール２６１、確定モジュール２６２及び送信モジュール２６３を備えてもよい。
【０１７０】
プロセッサ２１は目標時間ユニットにおいて第１スケジューリング要求及びアップリンク情報を送信する必要がある場合、前記目標時間ユニット内の物理リソースにおいてアクセスネットワーク機器へ前記アップリンク情報及び第２スケジューリング要求を同時に送信することに用いられ、
前記端末装置が複数のアップリンク論理チャネルを用いてデータ伝送を行い、前記第１スケジューリング要求が、前記複数のアップリンク論理チャネルのうちの送信待ちデータが存在するアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なる。
【０１７１】
上記各方法実施例における受信ステップに関連する機能を実現するために、プロセッサ２１は受信モジュール２６１を実行することに用いられ、上記各方法実施例における確定ステップに関連する機能を実現するために、プロセッサ２１は確定モジュール２６２を実行することに用いられ、上記各方法実施例における送信ステップに関連する機能を実現するために、プロセッサ２１は送信モジュール２６３を実行することに用いられる。
【０１７２】
なお、メモリ２４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク、又はそれらの組み合わせで実現されてもよい。
【０１７３】
図９には本発明の例示的な実施例に係るアクセスネットワーク機器の構造模式図を示し、該端末装置は図１に示される移動通信システムにおけるアクセスネットワーク機器１２０であってもよい。本実施例はアクセスネットワーク機器１２０がＬＴＥシステムにおけるｅＮＢ、又は、５ＧシステムにおけるｇＮＢである場合を例として説明し、該アクセスネットワーク機器はプロセッサ３１、受信機３２、送信機３３、メモリ３４及びバス３５を備える。
【０１７４】
プロセッサ３１は１つ又は１つ以上の処理コアを備え、プロセッサ３１がソフトウェアプログラム及びモジュールを実行することにより、様々な機能アプリケーション及び情報処理を実行する。
【０１７５】
受信機３２及び送信機３３が１つの通信コンポーネントとして実現されてもよく、該通信コンポーネントが１つの通信チップであってもよく、通信チップには情報を変調・復調して、無線信号によって該情報を受信又は送信するための受信モジュール、送信モジュール及びモデムモジュール等が含まれてもよい。
【０１７６】
メモリ３４がバス３５によってプロセッサ３１に接続される。
【０１７７】
メモリ３４がソフトウェアプログラム及びモジュールを記憶することに用いられてもよい。
【０１７８】
メモリ３４に少なくとも１つの機能が記憶されてもよく、前記アプリケーションプログラムモジュール３６は送信モジュール３６１、確定モジュール３６２、設定モジュール３６３及び受信モジュール３６４を備えてもよい。
【０１７９】
プロセッサ３１は目標時間ユニットにおいて第１スケジューリング要求及びアップリンク情報を受信する必要がある場合、端末装置が前記目標時間ユニット内の物理リソースにおいて同時に送信した前記アップリンク情報及び第２スケジューリング要求を受信することに用いられ、
前記端末装置が複数のアップリンク論理チャネルを用いてデータ伝送を行い、前記第１スケジューリング要求が、前記複数のアップリンク論理チャネルのうちの送信待ちデータが存在する論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なる。
【０１８０】
上記各方法実施例における送信ステップに関連する機能を実現するために、プロセッサ３１は送信モジュール３６１を実行することに用いられ、上記各方法実施例における確定ステップに関連する機能を実現するために、プロセッサ３１は確定モジュール３６２を実行することに用いられ、上記各方法実施例における設定ステップに関連する機能を実現するために、プロセッサ３１は設定モジュール３６３を実行することに用いられ、上記各方法実施例における受信ステップに関連する機能を実現するために、プロセッサ３１は受信モジュール３６４を実行することに用いられる。
【０１８１】
なお、メモリ３４はいかなるタイプの揮発性又は不揮発性記憶装置、例えばスタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク又は光ディスク、又はそれらの組み合わせで実現されてもよい。
【０１８２】
本発明の実施例は更にアップリンクデータシステムを提供し、該アップリンクデータシステムは端末装置及びアクセスネットワーク機器を備えてもよい。
【０１８３】
端末装置は上記図６に係るアップリンク制御情報の伝送装置を含んでもよく、アクセスネットワーク機器は上記図７に係るアップリンク制御情報の伝送装置を含んでもよい。
【０１８４】
又は、端末装置は上記図８に係る端末装置であってもよく、アクセスネットワーク機器は上記図９に係るアクセスネットワーク機器であってもよい。
【０１８５】
当業者であれば、上記１つ又は複数の例では、本発明の実施例に説明される機能はハードウェア、ソフトウェア、ファームウェア又はそれらの任意の組み合わせで実現されてもよいと理解すべきである。ソフトウェアで実現される場合、これらの機能をコンピュータ可読媒体に記憶し又はコンピュータ可読媒体における１つ又は複数の命令又はコードとして伝送してもよい。コンピュータ可読媒体はコンピュータ記憶媒体及び通信媒体を含み、通信媒体は一箇所から他の箇所へコンピュータプログラムを伝送する任意の媒体を含む。記憶媒体は汎用又は専用コンピュータにアクセスできる任意の利用可能媒体であってもよい。
【０１８６】
以上の説明は本発明の好適な実施例であって、本発明を制限するためのものではなく、本発明の趣旨及び原則内に行ったいかなる修正、等価置換、改良等は、いずれも本発明の保護範囲内に含まれるべきである。
【図１】
2020521363.tif 000009
【図２】
2020521363.tif 000010
【図３】
2020521363.tif 000011
【図４】
2020521363.tif 000012
【図５】
2020521363.tif 000013
【図６】
2020521363.tif 000014
【図７】
2020521363.tif 000015
【図８】
2020521363.tif 000016
【図９】
2020521363.tif 000017
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
アップリンク制御情報の伝送方法であって、
目標時間ユニットにおいて第１スケジューリング要求及びアップリンク情報を送信する必要がある場合、端末装置が、前記目標時間ユニット内の物理リソースにおいてアクセスネットワーク機器へ前記アップリンク情報及び第２スケジューリング要求を同時に送信することを含み、
前記端末装置が複数のアップリンク論理チャネルを用いてデータ伝送を行い、前記第１スケジューリング要求が、前記複数のアップリンク論理チャネルのうちの送信待ちデータが存在する少なくとも一つのアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送方法。
【請求項２】
前記アップリンク論理チャネルのパラメータは、伝送時間間隔、サブキャリア間隔、遅延及び信頼性のうちの少なくとも１つを含むことを特徴とする
請求項１に記載の方法。
【請求項３】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項１に記載の方法。
【請求項４】
前記端末装置が、前記目標時間ユニット内の物理リソースにおいてアクセスネットワーク機器へ前記アップリンク情報及び第２スケジューリング要求を同時に送信することは、
前記端末装置が、前記目標時間ユニット内の第２種類の物理リソースを用いて前記アクセスネットワーク機器へ前記アップリンク情報及び前記第２スケジューリング要求を送信することを含み、
前記第２種類の物理リソースが前記アップリンク情報を伝送するためのものであることを特徴とする
請求項１〜３のいずれか１項に記載の方法。
【請求項５】
前記端末装置が前記目標時間ユニット内の第２種類の物理リソースを用いて前記アクセスネットワーク機器へ前記アップリンク情報及び前記第２スケジューリング要求を送信する前に、更に、
前記端末装置が、前記アクセスネットワーク機器から送信された、前記端末装置に前記第２種類の物理リソースを設定するための第２設定情報を受信することを含むことを特徴とする
請求項４に記載の方法。
【請求項６】
前記目標時間ユニットが、ａ個のシンボル、ｂ個のシンボルグループ、ｃ個のスロット又はｄ個のサブフレームのうちの一つであり、ａ、ｂ、ｃ、ｄが正の整数であることを特徴とする、
請求項１〜５のいずれか１項に記載の方法。
【請求項７】
アップリンク制御情報の伝送装置であって、
目標時間ユニットにおいて第１スケジューリング要求及びアップリンク情報を送信する必要がある場合、前記目標時間ユニット内の物理リソースにおいてアクセスネットワーク機器へ前記アップリンク情報及び第２スケジューリング要求を同時に送信するように構成される送信モジュールを備え、
端末装置が複数のアップリンク論理チャネルを用いてデータ伝送を行い、前記第１スケジューリング要求が、前記複数のアップリンク論理チャネルのうちの送信待ちデータが存在する少なくとも一つのアップリンク論理チャネルを示すことに用いられ、前記第２スケジューリング要求が、前記複数のアップリンク論理チャネルに送信待ちのアップリンクデータが存在するかどうかを示すことに用いられ、前記複数のアップリンク論理チャネルのうちの少なくとも２つのアップリンク論理チャネルのパラメータが異なることを特徴とする、前記アップリンク制御情報の伝送装置。
【請求項８】
前記アップリンク論理チャネルのパラメータは、伝送時間間隔、サブキャリア間隔、遅延及び信頼性のうちの少なくとも１つを含むことを特徴とする
請求項７に記載の装置。
【請求項９】
前記アップリンク情報は、フィードバック応答情報ＡＣＫ／ＮＡＣＫ、チャネル状態情報ＣＳＩ及びアップリンクサービスデータのうちの少なくとも１つを含むことを特徴とする
請求項７に記載の装置。
【請求項１０】
前記送信モジュールは、更に、
前記目標時間ユニット内の第１種類の物理リソースを用いて前記アクセスネットワーク機器へ前記アップリンク情報を送信することに用いられ、
前記第１種類の物理リソースが、前記第１スケジューリング要求を伝送するためのものであることを特徴とする
請求項７〜９のいずれか１項に記載の装置。
【請求項１１】
前記第１種類の物理リソースが複数の第１物理リソースを含み、前記複数の第１物理リソースと前記複数のアップリンク論理チャネルとが対応関係を有し、
前記送信モジュールは、更に、前記目標時間ユニット内の少なくとも１つの第１物理リソースを用いて前記アクセスネットワーク機器へ前記アップリンク情報を送信するように構成されることを特徴とする
請求項１０に記載の装置。
【請求項１２】
前記送信モジュールは、更に、
前記目標時間ユニット内の第２種類の物理リソースを用いて前記アクセスネットワーク機器へ前記アップリンク情報及び前記第２スケジューリング要求を送信するように構成され、
前記第２種類の物理リソースが前記アップリンク情報を伝送するためのものであることを特徴とする
請求項７〜９のいずれか１項に記載の装置。
【請求項１３】
前記装置は、更に、
前記アクセスネットワーク機器から送信された、前記端末装置に前記第２種類の物理リソースを設定するための第２設定情報を受信するように構成される受信モジュールを備えることを特徴とする
請求項１２に記載の装置。
【請求項１４】
前記目標時間ユニットが、ａ個のシンボル、ｂ個のシンボルグループ、ｃ個のスロット又はｄ個のサブフレームのうちの一つであり、ａ、ｂ、ｃ、ｄが正の整数であることを特徴とする、
請求項７〜１３のいずれか１項に記載の装置。
【請求項１５】
前記第１物理リソースと前記アップリンク論理チャネルとの対応関係は、
各第１物理リソースが一つのアップリンク論理チャネルに対応し、又は、
各アップリンク論理チャネルが複数の第１物理リソースに対応し、又は、
各第１物理リソースが複数のアップリンク論理チャネルに対応すること、を含むことを特徴とする
請求項１１に記載の装置。
【国際調査報告】
2020521363.tif 000018
2020521363.tif 000019
2020521363.tif 000020
2020521363.tif 000021